(57)【要約】
【課題】  日記帳や手帳に用いる帳票の一日分の欄の記入内容を、とりわけ記入者の主観的内面などを、毎回読み返すことなく、客観的に瞬時に見返せるような手段を提供すること。
【解決手段】  特定の日を示すための標題部（１０）と書き込み可能な空欄（１１）とからなる一日分の欄（１２）を少なくとも一つ設けた帳票（１７）において、該一日分の欄（１２）内の一箇所に複数個に区分された領域（１３）からなる指標領域（１４）を設け指標欄（１５）とし、該指標欄（１５）は記入者自身の内心を段階評価したものを書き入れる欄からなることを特徴とする指標欄（１５）つきの帳票（１７）。
【選択図】      図１
0003100919.tif 000002
【実用新案登録請求の範囲】
【請求項１】
特定の日を示すための標題部（１０）と書き込み可能な空欄（１１）とからなる一日分の欄（１２）を少なくとも一つ設けた帳票（１７）において、該一日分の欄（１２）内の一箇所に複数個に区分された領域（１３）からなる指標領域（１４）を設けて指標欄（１５）としたことを特徴とする指標欄（１５）つきの帳票（１７）。
【請求項２】
特定の日を示すための標題部（１０）と書き込み可能な空欄（１１）とからなる一日分の欄（１２）を少なくとも一つ設けた帳票（１７）において、該一日分の欄（１２）内の一箇所に複数個に区分された領域（１３）からなる指標領域（１４）を設けて指標欄（１５）とし、該指標欄（１５）は記入者自身の内心を段階評価したものを書き入れる欄からなることを特徴とする指標欄（１５）つきの帳票（１７）。
【請求項３】
複数個に区分された領域（１３）からなる指標領域（１４）は、円形を複数個に分割した区分からなることを特徴とする請求項１または２に記載の指標欄（１５）つきの帳票（１７）。
【請求項４】
請求項１から請求項３のいずれか１項に記載の指標欄（１５）つきの帳票（１７）の複数枚を組み合わせて日付順に並べて形成したことを特徴とする日記帳（１８）もしくは手帳（１９）。
【請求項５】
請求項１から請求項３のいずれか１項に記載の指標欄（１５）つきの帳票（１７）において、特定の日を示すための標題部（１０）と書き込み可能な空欄（１１）とからなる一日分の欄（１２）を少なくとも一つ設けた帳票（１７）は、月日が同じで年が異なる一日分の欄（１２）を年次順に複数個配設した帳票（１７）であり、該帳票（１７）の複数枚を組み合わせて月日の順に並べて形成したことを特徴とする日記帳（１８）もしくは手帳（１９）。
【考案の詳細な説明】
【技術分野】
【０００１】
本考案は、各特定の日付ごとの欄内に客観的に対比可能な指標欄を設けたことを、とりわけ主観的な内心を客観的に対比可能とする指標欄を設けたことを特徴とする帳票についてのものである。
【背景技術】
【０００２】
従来より、暦年の１月あるいは４月を始期とし、一年間にわたって一日分毎に書き込み可能な空欄を有する帳票の複数枚を日付順に並べてひとまとめにして冊子として綴じたものがある。このような冊子は手帳あるいは日記帳と総称されており、書店等にて長年にわたり広く大量に販売されているのは公知のところである。
【０００３】
これらの一日分毎に書き込み可能な空欄が設けられた帳票は１ページに一日分のものもあれば、１ページに複数日、たとえば一週間分、さらに一月分が記載可能となっている場合もある。また、手帳や日記帳の大きさも、帳票の数やサイズに応じて、携帯型の小型のものからノート大の大判まで、薄いものから分厚いものまで様々にある。さらに、その綴じ方も、通常の製本に限らず、バインダーに穴の開けられた帳票のリフィルを綴じるといった差替え可能なシステム手帳形式のものまである。
【０００４】
また、１０年などの複数年にわたって日付順に一日分毎に書き込み可能な空欄が設けられた複数枚の帳票を冊子としてひとまとめに綴じ十年日記帳としたものもある。あるいは、１０年などの複数年分について、同一ページの帳票面上に複数年の同一月日についての書き込み可能な空欄を設けることで複数年にわたっての同一日の出来事を同一ページ上に一覧表示可能とした複数枚の帳票を、冊子としてひとまとめに綴じた十年手帳あるいは十年日記帳が知られている（例えば、特許文献１、特許文献２参照。）。
【０００５】
これらの帳票には、たとえば１月１日（木）、元旦、大安、などといった、月日、曜日、祝日名、暦注ないし六曜等の表示とともに、縦書きあるいは横書きの数行から数十行の罫線で仕切られた書き込みが可能な空欄が設けられ、各々の日の欄毎に罫線や枠で囲むことで他の日付の欄とは仕切られていることが通常である。
【０００６】
また、当該日の天候が記せるように帳票上に天気欄が設けられているもの、時間を追って事前に予定を記入したり事後に行動の記録を書き留められるようにと、書き込み欄の上部に予め時間軸が設けられたものもある。
【０００７】
【特許文献１】特許第２６７８８９５号公報
【特許文献２】特公平７−５５１０６号公報
【考案の開示】
【考案が解決しようとする課題】
【０００８】
ところで、上述のように一日分毎に書き込み可能な空欄が設けてあった場合には、記入者が任意な内容を書き込めるという便宜性はあるものの、その書き込みを事後的に振り返る際には一つ一つの欄を随時読み返すこととなる。
【０００９】
たとえば、その日の想いを綴った日記帳の場合、記したときの心持ちを振り返るには、欄内に記載された出来事や文章から、その心情を読み起こすことになる。もっとも、その日に起きた出来事についての記述がなされていた場合、その日に起こった出来事については把握可能であるが、その日が記入者にとって心晴れやかな日だったのか、それとも憂いのあった日だったのかというような主観的な内面については直接的な記載がないため、出来事を手がかりにして推測するしかない。
【００１０】
この点、日記や手帳は、一般に記入者本人が読み返すのであるから、自己の記憶と記述とを重ね合わせることで推測することは可能である。しかしながら、過去の出来事などを読み返して毎回推測しなければならず、瞬時的に次々と振り返ることは容易ではない。また、何年も経過してしまえば、記憶が曖昧になる点は否めず、推測も十分といえなくなる場合が生ずる。
【００１１】
たしかに常に自分の内面を日記や手帳に記載しておけばよいかとも思われるが、かといって常に毎日が楽しいことばかりとは限らないため、詳細な心情を毎日綴り続けるというのは安易になしうる作業とは限らない。そのため、継続して記入することは必ずしも期待できないという欠点があった。また、毎回文章を読み返すとなれば時間がかかる上に、内面を細々と綴ることには少なからず抵抗を感ずる人も見受けられるなど、利用しにくい欠点があった。
【００１２】
そこで、事後に振り返る際に、記入者の主観的な日々の心情や心持ちが簡易に客観化された形で表示できるようにして、後から瞬時に見返せるような客観的なわかりやすい手段を有する帳票が要請されるが、主観的な内心を客観的に指標化して認識可能として事後的に対比可能とした帳票からなる日記帳や手帳はなかった。
【課題を解決するための手段】
【００１３】
本考案は、一日分の欄を設けた帳票を提供するにあたり、とりわけ記入者の主観的な心持ちなどといった設定項目について予め簡易に客観的表示が可能となるべく指標欄を設けておくことで、該指標欄を用いた記入者が後から瞬時に見返せるべく客観的なわかりやすい表示域を形成せしめうるという、極めて利便性の高い帳票を提供するものである。
【００１４】
すなわち、請求項１の考案では、特定の日を示すための標題部１０と書き込み可能な空欄１１とからなる一日分の欄１２を少なくとも一つ設けた帳票１７において、該一日分の欄１２内の一箇所に複数個に区分された領域１３からなる指標領域１４を設けて指標欄１５としたことを特徴とする指標欄１５つきの帳票１７である。
【００１５】
ここでいう特定の日を示す標題部１０とは、ある年月日を特定できる手がかりを提供するものである。すなわち、本考案における一日分の欄１２がいつの日の内容を意味するのか特定できるようにするために、例えば、年、月、日のすべてを予め記載して標題部１０とする。あるいは、「〜年〜月〜日」という余白を設けて記入者に記入させる欄を提供することで標題部１０としてもよい。また、本考案の帳票１７を複数枚組み合わせてなる日記帳１８などであれば、年月日を全て表示して標題部１０とする他に、該日記帳１８の表紙やあるいは各帳票１７の上端あるいは下端に年を示す西暦や年号を予め表示しておくことで、月日の表示のみで標題部１０としてもよい。このような方法でも、該一日分の欄１２がいずれの年月日の欄であるか特定できる。
【００１６】
なお、各々の一日分の欄１２の標題部１０には、さらに当該特定の日に対応した曜日や祝祭日を表示できるようにしたり、また、暦注ないし六曜を表示できるようにしてもよい。
【００１７】
特定の日を示す標題部１０の右隣、左隣、あるいは下方もしくは上方に書き込み可能な空欄１１を設ける。書き込み可能な空欄１１には、適宜横書きもしくは縦書きの数行から数十行の罫線を設けてもよいし、空白のままでもよい。
【００１８】
上記の標題部１０と書き込み可能な空欄１１とで一日分の欄１２を構成せしめ、この一日分の欄１２を帳票１７の片面上に一つ以上設けることとする。たとえば一週間分として７個の一日分の欄１２を設け、各一日分の欄１２どうしは、隣の欄との間を直線で仕切ったりあるいは各一日分の欄１２の周囲をそれぞれに四角く線で囲ったりすることで、区別する。各一日分の欄１２の標題部１０には、月曜から日曜までの月日を順次割り当てて表示させることで、一週間分の用に供することができる。もちろん標題部１０には曜日、さらに祝祭日や暦注等を表示せしめてもよい。
【００１９】
ところで、上記の一日分の欄１２内の任意の位置に、複数個に区分された領域１３からなる指標領域１４を設けて指標欄１５とする。たとえば、上部に標題部１０を、その下側に書き込み可能な空欄１１を設け、該書き込み可能な空欄１１の左下隅に、指標欄１５を設ける。該指標欄１５は、区分された領域１３からなる指標領域１４で、たとえば、円形を円の中心から放射状に分割することにより複数個の区分された領域１３の扇形を形成せしめ指標領域１４とする。あるいは長方形を分割した複数個の四角形等によって形成される指標領域１４としてもよい。すなわち、たとえば横長の長方形を設け、該長方形の長辺を等間隔に区分して複数個に分割することで区分された領域１３とした指標領域１４を形成し、指標欄１５とする。もちろん縦長の長方形でもよい。また、等間隔に区分するのではなく、区分の幅を段階的に変化させて区分された領域１３としてもよい。
【００２０】
また、たとえば、区分された領域１３として複数個の四角形を順に横１列に配設し、該四角形の個数の段階からなる指標領域１４を全体として形成せしめてもよい。もちろん、区分された領域１３たる四角形を縦１列に配置したり、放射状に配置してもよい。また、並べる四角形の大きさは均一でなくともよく、たとえば、段階的に大きさを大きくしてもよい。
【００２１】
さらに、図で例示しないが、同心円形状の複数の円の集合を指標領域１４としたり、あるいは、複数個の三角形、五角形、六角形、星型、花形等を区分された領域１３とし、該領域を組み合わせて形成される指標領域１４であってもよい。またさらに、指標領域１４はたとえば全体としては木、花、人、家など物の輪郭を形どったものからなるものとし、その形状を複数個に区分することで区分された領域１３としてもよい。
【００２２】
指標欄１５は、例えば円形を円の中心から放射状に分割した場合であれば、扇状の領域のそれぞれに適宜番号を振ったりしてもよく、また、指標欄１５の使用に際しては、記入者が該当の番号の部分の領域１３をペンで塗りつぶしたり、印を付けたりするほか、評価が３段階目ならば、１〜３の全ての領域１３を塗りつぶしたり印を付けたりしてもよい。また本考案の指標欄１５を記入者が適宜色分けして使用することで視覚的にわかりやすくすることも可能である。
【００２３】
なお、本考案の帳票１７を、複数枚組み合わせて冊子とし、ひとまとめに綴じたものを製本することで日記帳１８もしくは手帳１９として提供することが可能となるが、本考案の帳票に２穴、６穴、２４穴、２６穴、３０穴といった穴を適宜設けることでバインダー内に綴じることが可能な帳票１７とすることができる。このように本考案の帳票１７は、差替え可能なリフィルとしてリフィル形式のシステム手帳バインダーに適用することもできる。そしてリフィルとして本考案の帳票１７を複数枚組み合わせることで、日記帳１８もしくは手帳１９として提供することもできる。
【００２４】
請求項２の考案では、特定の日を示すための標題部１０と書き込み可能な空欄１１とからなる一日分の欄１２を少なくとも一つ設けた帳票１７において、該一日分の欄１２内の一箇所に複数個に区分された領域１３からなる指標領域１４を設けて指標欄１５とし、該指標欄１５は記入者自身の内心を段階評価したものを書き入れる欄からなることを特徴とする指標欄１５つきの帳票１７である。
【００２５】
すなわち請求項２の考案は請求項１記載の指標欄１５について、さらに記入者自身の内心を予め簡易に客観化して表示可能となるように、内心を段階評価したものを書き入れる欄としたことを特徴としている指標欄１５つきの帳票１７である。
【００２６】
記入者自身の内心を段階評価したものとは、記入者の主観的な内面の感情、心情、心持ち、心模様などを、その日一日振り返って考察して、あるいは記入する時の内心を考察して、段階づけて、例えば１〜５などの段階などに割り振ったものである。
【００２７】
主観的な内心であるから、一見恣意的なものにすぎないかのようである。しかし、日々本考案の帳票に段階評価したものの記入を繰り返すことで、記入者の個々人特有の評価基準が形成され、該基準に従って段階評価されるものであるから、恣意的に流れた場当たり的な評価とは異なる。また、主観的な内心を客観的な段階評価に置き換えるのは、本考案を使用する記入者一人であり、性質上、別の人が何人もで使用するものではない。また、日々記入したものを後日振り返るのは、記入者本人であることが通常であるため、評価そのものが個々人の判断であって、その基準が他人には理解しがたいものであったとしても、評価の結果が客観的に表示されているならば、それを後日振り返る本人にとっては客観的で明確な指標として機能する。
【００２８】
なお、記入者の内心を段階評価した指標欄１５であることを明確にするべく、たとえば予め円形の上に「心模様」などといった指標の名称１６の表示を適宜設けておいてもよい。
【００２９】
請求項３の考案では、複数個に区分された領域１３からなる指標領域１４は、円形を複数個に分割した区分からなることを特徴とする請求項１または２に記載の指標欄１５つきの帳票１７である。
【００３０】
たとえば、円形を円の中心から放射状に分割したことで複数個の扇形を形成して指標領域１４とする。また、円形に縦あるいは水平にスリットを入れるように等間隔に分割することで複数個に区分して区分された領域１３とし、指標領域１４を形成せしめてもよい。あるいは、外周円の内側に同心円状に互いに等間隔になるように複数個の同心円を設けることで区分して指標領域１４を形成せしめてもよい。なお、円形を区分する際には、必ずしも等間隔で区分する必要はなく、漸次間隔を広くしていったりして、視覚的に領域の大きさを段階的に変えていってもよい。
【００３１】
請求項４の考案では、請求項１から請求項３のいずれか１項に記載の指標欄１５つきの帳票１７の複数枚を組み合わせて日付順に並べて形成したことを特徴とする日記帳１８もしくは手帳１９である。
【００３２】
本考案の帳票１７は、該帳票１７を複数枚組み合わせて冊子とし、ひとまとめに綴じたものを製本することで日記帳１８もしくは手帳１９として提供することが可能となることを特徴とする。また、本考案の帳票１７に２穴、６穴、２４穴、２６穴、３０穴といった穴を適宜設けることでバインダー内に綴じることが可能な帳票１７とすることができ、差替え可能なリフィルとしてリフィル形式のシステム手帳バインダーに適用することもできる。そしてリフィルとして本考案の帳票１７を複数枚組み合わせることで、日記帳１８もしくは手帳１９として提供することもできる。
【００３３】
複数枚の帳票１７を組み合わせるに際しては、たとえば１月１日から１２月３１日まで一日分の欄１２を順次並べていくように組み合わせる。例えば、帳票１７の片面に一週間７個の一日分の欄１２が配設されている場合であれば、同一帳票面上の７個の一日分の欄１２は上から早い日付の欄とする。そして、これらを５３面設けることで連続した一年分の日記帳１８もしくは手帳１９とする。なお、ここでいう日記帳１８および手帳１９とは、自分の出会った出来事や感想などを一日ごとに書き記したりする物および心覚えを書きつけるための帳面のことである。
【００３４】
請求項５の考案では、請求項１から請求項３のいずれか１項に記載の指標欄１５つきの帳票１７において、特定の日を示すための標題部１０と書き込み可能な空欄１１とからなる一日分の欄１２を少なくとも一つ設けた帳票１７は、月日が同じで年が異なる一日分の欄１２を年次順に複数個配設した帳票１７であり、該帳票１７の複数枚を組み合わせて月日の順に並べて形成したことを特徴とする日記帳１８もしくは手帳１９である。
【００３５】
たとえば一枚の帳票１７の片面上に月日が同じで年が異なる指標欄１５つきの一日分の欄１２を年次順に１０個配設し、該帳票１７を３６５日分、月日の順に組み合わせてひとまとめに綴じて製本し、十年日記帳もしくは十年手帳とする。また、閏年については、適宜２月２８日の帳票面上に２月２９日の一日分の欄を割り振る。２月２９日についても単独の帳票を設けることとし、３６６日分を月日の順に組み合わせることとしてもよい。
【００３６】
また、帳票１７の片面に一日分の欄１２を５個ずつ配置し、見開きの両面で１０年分となるようにしてもよい。
【００３７】
以上のように月日が同じで年が異なる一日分の欄１２を複数年分、同一帳票面上に設け、該一日分の欄１２内に本願考案の指標欄１５を配置することで、複数年の同一月日における記入者の主観的な心持ちが一度に客観的・瞬時的に対比可能となるような手段が提供できることになる。
【考案の効果】
【００３８】
本考案は、一日分の欄１２を設けた帳票１７において、複数個の区分された領域１３からなる指標領域１４を指標欄１５とする手段を提供することにより、記入者が後日、客観的かつ瞬時に認識が可能な極めて利便性の高い帳票１７を提供できるものである。とりわけ記入者の主観的な内心、たとえば、心持ち、心模様、などといった設定項目について、予め簡易に客観的表示が可能となるべく指標欄１５を設けておくことにより、該指標欄１５を用いた記入者が、本来主観的な内容について後日客観的かつ瞬間的に判別することが可能な表示域を形成せしめるという、極めて利便性の高い帳票を提供することができる。
【考案を実施するための最良の形態】
【００３９】
本考案を実施するための最良の形態を図面を用いながら下記の実施例により説明する。
【実施例１】
【００４０】
Ａ４、Ｂ５、Ａ５、Ｂ６など任意のサイズの用紙を適宜選択して帳票１７とし、該帳票１７上に、特定の日を示すための標題部１０と書き込み可能な空欄１１とからなる一日分の欄１２を設ける。図１は一日分の欄１２の一例を示した図である。例えば、帳票１７上に横１２センチメートル×縦６センチメートルの長方形の枠を設けて一日分の欄１２とし、該長方形の上端に長辺に沿って、水平に細長く、図１に示すように特定の日を示すための標題部１１を設け、該標題部１１内に月、日、曜日、暦注、祝祭日名を表示せしめる。なお、図１に示すように、標題部１０は黒地に反転させ、月日、曜日、祝祭日名、暦注ないし六曜を白抜き文字で表示させることで強調してもよい。さらに、標題部の右に図１に示すような天気欄２０を適宜設けてもよい。なお、特定の日を示すための標題部１０には、他にも年を西暦や年号を記載してもよい。また、図１、図２においては標題部１０に具体的な月日が記載されているが、「〜月〜日」という余白を設けて記入者に記入させる欄を提供することで標題部１０としてもよい。
【００４１】
また、図１の標題部１０には、月日を記載するのみであるが、図２に示すように、帳票１７上の一日分の欄１２の外に別途西暦や年号を記載しておくことで、年月日まで特定できるようにしておく。図２は、月日は標題部１０内に表示し、別途帳票１７の右上端に西暦を「２００３」と記載している例を示している。
【００４２】
図１における標題部１０の下方には、点線の横罫線によって６行の書き込み可能な空欄１１が設けられている。図１においては罫線は横であるが、適宜変更して、罫線なし、あるいは縦罫線としたり、罫線の色を変更したりしてもよい。
【００４３】
さらに、該一日分の欄１２内の一箇所に複数個に区分された領域１３からなる指標領域１４を設け指標欄１５とする。すなわち、該一日分の欄１２内の下方右隅に直径１０ミリの円を設け指標領域１４とし、該円を円の中心から放射状に均等に５分割し、円形内に５つの扇を形成せしめ、複数個に区分された領域１３とする。該分割された扇のなかに時計回りに順に「１」「２」「３」「４」「５」と番号を振り、印字しておく。さらに、請求項２を実施するにあたっては該円の上部に「心模様」といった指標の名称１６を適宜記載する。また、該円と指標の名称の周囲を取り囲むように四角い外枠を設けることで、指標欄１５を強調してもよい。
図４（ａ）は図１における指標欄１５の部分を拡大して示した図である。
【００４４】
なお、番号を印字せずに円を分割しておくだけでも指標欄１５として利用可能であるため、番号の印字は必須ではない。また、区分数は適宜設ければよく、本実施例のように５つには限らず、たとえば３つでもよい。さらに、円形の指標領域１４を区分するにあたり、均等に区分するのではなく、図６（ａ）に示すように区分された領域１３の大きさを変えていってもよい。図６（ａ）では、１から５に進むに従って領域の大きさが漸次増加するように区分されている。
【００４５】
ところで、該指標欄１５を提供することで、帳票の記入者は、指標化する事項について、たとえばその日の心模様であれば、記入者の主観的な内心の心模様を記入者が１〜５の段階に評価して当てはめたうえで、区分された領域１３に振られた番号を手がかりに該当番号の扇部分（区分された領域１３）に筆記用具で印を付すことができる。帳票１７の一日分の欄１２ごとに、順次指標欄１５に印を付していくことで、記入者が後日振り返る際に、客観的・瞬時的に違う日付の指標欄１５と対比することが可能となる。もちろん同日の書き込み可能な空欄１１内の記載内容と対照すれば、当日の出来事と組み合わせて、記入者の内心を簡易に推測する手がかりとなる。なお、印としては、たとえば図４（ｂ）に示すように、扇内の数字の上に○をつけたりあるいは該当の扇部分を塗りつぶしたりすることが可能である。段階評価した結果が「４」の場合には、例えば図４（ｃ）に示すように、「１」〜「４」までの扇をすべて塗りつぶすようにすることも可能である。上述のいずれの方法も記入者にとって容易であり、かつ、視覚的に瞬時に認識しうる指標として機能する。さらに、適宜、段階によって色分けをすることで、視覚的に分かりやすくしてもよい。
【００４６】
なお、帳票１７を複数枚組み合わせて日付順に並べて冊子とし、ひとまとめに綴じたものを製本することで日記帳もしくは手帳とすることができる。すなわち、たとえば１月１日から１２月３１日までの日付順に一日分の欄１２が並ぶように、帳票１７を複数枚組み合わせて、ひとまとめに綴じるのである。もちろん、帳票１７に適宜穴を設け、システム手帳のような差替え可能なバインダーに綴じるようにしてもよい。
【００４７】
図２を例に以下説明する。図２は、帳票１７の片面上に一日分の欄１２を７個配設してなる本考案の実施の形態の一例である。図２では特定の日を示すための標題部１０は書き込み可能な空欄１１の左端に、指標欄１５は右端に設けられている。また、図２の帳票では、２００３年９月１５日〜９月２１日まで、上から下に向かって日付順に一週間７日分の一日分の欄１２が設けられている。さらに該帳票１７の裏面上に続きの月日である９月２２日から９月２８日までの一日分の欄１２を設けるようにすると、一枚の帳票１７の両面には１４個の一日分の欄１２が配設される。したがって１月１日から１２月３１日までの日付順に図２の形式の帳票１７を５３面、２７枚作成し、該複数枚の帳票１７を組み合わせることで、図７および図８に示すような、一年分の日記帳１８もしくは手帳１９とすることができる。
【実施例２】
【００４８】
実施例１における円形の指標領域１４からなる指標欄１５に代えて、図５（ａ）に示すように縦２．５ミリ×横１２．５ミリの横長の細長い棒状の長方形を設け、該長方形を５分割し、５つの四角形の区分された領域１３を形成せしめ、各々の四角形に左側から順に「１」「２」「３」「４」「５」と番号を振り、表示せしめる。
【００４９】
また、図５（ｂ）に示すように縦長の細長い棒状の長方形を設け、該長方形を５分割し、５つの四角形の区分された領域１３を形成せしめ、さらに、該各々の四角形に左側から順順に「１」「２」「３」「４」「５」と番号を振って表示せしめてもよい。
【００５０】
また、実施例１における円形の指標領域１４からなる指標欄１５に代えて、図５（ｃ）（ｄ）に示すように、小さな縦1ミリ×横3ミリほどの小さな横長の長方形を５つ縦方向に並列配置するように設けて区分された領域１３を形成せしめ、さらに該長方形に下方からあるいは上方から順に「１」「２」「３」「４」「５」と番号を振って表示せしめてもよい。
【００５１】
なお、図６（ｂ）（ｃ）（ｄ）に示すように、区分された領域１３のそれぞれの大きさは均等でなくともよい。また、図５、図６には図示しないが、図４（ａ）と同様に指標の名称上部に「心模様」といった指標の名称１６を適宜記載したり、また、指標領域１４と指標の名称の周囲を取り囲むように四角い外枠を設けることで、指標欄１５を強調してもよい。
【実施例３】
【００５２】
図３は、請求項５記載の考案の一実施の形態を示す図である。まず、たとえば、Ｂ５サイズの帳票１７内に、同じ月日で年が異なる一日分の欄１２を１０個、横２段縦５段に配置することとし、該一日分の欄１２は横７．７センチメートル×縦４．３センチメートルの大きさとし、一日分の欄１２の上部には特定の日を示すための標題部１０を、その下に書き込み可能な空欄１１を設け、また右隅には直径８ミリメートルの円形の指標領域１４からなる指標欄１５を配置する。
【００５３】
次に、各一日分の欄は月日が同じで年が異なるものであるから、各一日分の欄１２に共通な月日は帳票１７の上部に記載する。図３においては「１月１日」を帳票１７の上部に表示している。また各一日分の欄の標題部１０には、たとえば「２００４年」、「２００５年」といった年のみを昇順に順次表示する。帳票１７の上部の１月１日といった月日の表示と特定の日を示すための標題部１０に表示されている西暦とにより、該一日分の欄１２がいつの年月日のものか特定できる。図３に示すように、２００４年から２０１３年まで１０年間の１月１日の欄１０が一枚の帳票面上に配置されることになる。
【００５４】
上記の帳票１７の裏面にも同様に１０個の一日分の欄１２を配置し、裏面の上部には次の月日である１月２日を表示せしめる。以下、一年３６５日分の複数枚の帳票１７を作成し、帳票１７の上部に表示されている月日が順に並ぶように該複数枚の帳票１７を組み合わせ、それらの複数枚の帳票をひとまとめに綴じて、製本することで、十年日記帳１８もしくは十年手帳１９とする。なお、図９に十年日記帳の一例を示す。
【図面の簡単な説明】
【００５５】
【図１】本考案の一日分の欄の一例を示す図
【図２】一週間７個の一日分の欄が設けられた本考案の帳票の一例をを示す図
【図３】同じ月日で年が異なる一日分の欄を１０個配置した請求項５記載の帳票の一例を示す図
【図４】請求項３記載の指標欄の実施の形態と使用の形態の一例を示す図
【図５】他の形の指標領域の一例を示す図
【図６】大きさの均等でない指標領域の一例を示す図
【図７】本考案の日記帳の一例を示す図
【図８】本考案の帳票を穴をあけてリフィル形式としてシステム手帳に適用した一例を示す図
【図９】請求項５記載の実施の一例として１０年日記帳を示す図
【符号の説明】
【００５６】
１０  標題部
１１  書き込み可能な空欄
１２  一日分の欄
１３  区分された領域
１４  指標領域
１５  指標欄
１６  指標の名称
１７  帳票
１８  日記帳
１９  手帳
２０  天気欄
【図１】
0003100919.tif 000003
【図２】
0003100919.tif 000004
【図３】
0003100919.tif 000005
【図４】
0003100919.tif 000006
【図５】
0003100919.tif 000007
【図６】
0003100919.tif 000008
【図７】
0003100919.tif 000009
【図８】
0003100919.tif 000010
【図９】
0003100919.tif 000011